(57)【要約】      （修正有）【課題】持ち運びおよび操作が便利な子供用運搬車を提供する。【解決手段】子供用運搬車は、折り畳み可能なフレームと、フレームが折り畳まれていない場合にフレームをロックするためのフレームロック機構とを備える。フレームは、下部に第一回転軸、上端に第二回転軸を備えるプッシュロッドと下端がプッシュロッドの上端に回転可能に接続されるプッシュハンドルを含み、プッシュハンドル・ロック機構が、プッシュハンドルとプッシュロッドとの間に配置される。折り畳む過程において、プッシュロッドは第１回転軸を中心に回転可能であり、第２回転軸はプッシュロッドの上端と共に下方へ移動し、その際プッシュハンドルは第２回転軸を中心に上方へ回転し、プッシュロッドに向かって折り畳まれるとともにプッシュロッドの上方に留まることが可能である。【選択図】  図１
0003170838.tif 000002
【実用新案登録請求の範囲】
【請求項１】
折り畳み可能なフレーム（１）と、
前記フレーム（１）の前側の下部に配置される前輪アセンブリ（２）と、
フレーム（１）の後側の下部に配置される後輪アセンブリ（３）と、
フレームが折り畳まれていない時にフレーム（１）をロックするために使用される、ロック位置とロック解除位置とを有するフレームロック機構と、
フレーム（１）に配置されており、フレーム（１）を折り畳む際に第１回転軸（４）を中心にフレーム（１）の前方または後方へ向かって回転可能であるプッシュロッド（５）とを備え、
前記第１回転軸（４）がプッシュロッド（５）の下部に位置する、子供用運搬車において、
前記フレーム（１）が、下端がプッシュロッド（５）の上端と第２回転軸（６）により回転可能に接続されるプッシュハンドル（７）をさらに備え、
プッシュハンドル（７）とプッシュロッド（５）との間に、ロック位置とロック解除位置とを有するプッシュハンドル・ロック機構が配置されており、これがプッシュハンドルをプッシュロッド（５）と相対的にロックするために使用されることを特徴とする、子供用運搬車。
【請求項２】
プッシュハンドル（７）に操作機構が設置され、これがプッシュハンドル・ロック機構をロック位置からロック解除位置に変えることを可能にする、請求項１に記載の子供用運搬車。
【請求項３】
フレームロック機構が、
プッシュロッド（５）に取り外し可能に設置されるロック部材（９）と、
ロック部材（９）とプッシュロッド（５）との間に配置され、ロック部材（９）を元の場所に戻すために使用される第１弾性部材（１０）と、
ロック部材（９）が動くように引くために使用される引っ張りロープ（１１）とを含み、
ロック部材（９）がフレーム（１）に取り外し可能に接続され、引っ張りロープ（１１）の一方の端部がロック部材（９）に接続され、他方の端部がプッシュハンドル（７）の下部に接続される、請求項１に記載の子供用運搬車。
【請求項４】
プッシュハンドル（７）が、第１回転軸（４）を中心とするプッシュロッド（５）の回転方向と反対の方向に向かって、第２回転軸（６）を中心に回転する過程で、前記引っ張りロープ（１１）がプッシュハンドル（７）の下端またはプッシュロッド（５）の上端に段階的に巻き付く、請求項３に記載の子供用運搬車。
【請求項５】
位置合わせピン（１２）がプッシュロッド（５）の上端に固定的に設置され、前記位置合わせピン（１２）が前記第２回転軸（６）からずらされており、前記引っ張りロープ（１１）が前記位置合わせピン（１２）に巻き付く、請求項３に記載の子供用運搬車。
【請求項６】
プッシュロッド（５）の上部とプッシュハンドル（７）の下部との間に配置される位置制限機構が、前記プッシュハンドル（７）が、プッシュロッド（５）の第１回転軸（４）を中心とする回転方向と同じ方向に向かって、第２回転軸（６）を中心に回転することを制限するために使用される、請求項１に記載の子供用運搬車。
【請求項７】
前記フレーム（１）が、
前方ブラケット（１３）であって、プッシュロッド（５）の下端が前記前方ブラケット（１３）の上端に第３回転軸（１４）により回転可能に接続されている前方ブラケットと、
後方ブラケット（１５）であって、前記プッシュロッド（５）の下部が後方ブラケット（１５）の上端に前記第１回転軸（４）により回転可能に接続され、前記第３回転軸（１４）が前記第１回転軸（４）の前に位置する、後方ブラケットと、
シートロッド（１６）であって、前記シートロッド（１６）の前部が前記前方ブラケット（１３）に第４回転軸により回転可能に接続され、後部が前記後方ブラケット（１５）に第５回転軸により回転可能に接続される、シートロッドと、をさらに備え、
前記フレームロック機構が、前記プッシュロッド（５）と前記後方ブラケット（１５）との間に設置されるか、あるいは前記プッシュロッド（５）と前記前方ブラケット（１３）との間に設置される、請求項１に記載の子供用運搬車。
【請求項８】
前記フレームロック機構が、前記プッシュロッド（５）と前記後方ブラケット（１５）との間に配置され、
前記フレームロック機構が、
前記後方ブラケット（１５）上に開けられるロック溝（１７）と、
プッシュロッド（５）にスライド可能に設置されるロック部材（９）と、
ロック部材（９）とプッシュロッド（５）との間に配置され、前記ロック部材（９）がプッシュロッド（５）に対して延伸する傾向を有することを可能にする第１弾性部材（１０）とを含み、
前記フレームロック機構がロック位置にあると、前記ロック部材（９）が前記ロック溝（１７）に挿入され、前記フレームロック機構がロック解除位置にあると、ロック部材（９）が前記ロック溝（１７）から離れる、請求項７に記載の子供用運搬車。
【請求項９】
前記フレーム（１）が、
前方ブラケット（１３）であって、プッシュロッド（５）の下端が前記前方ブラケット（１３）の上端に第３回転軸（１４）により回転可能に接続されている前方ブラケットと、
接続ロッド（２２）であって、接続ロッド（２２）の上端がプッシュロッド（５）に前記第１回転軸（４）により回転可能に接続され、前記第３回転軸（１４）が前記第１回転軸（４）の前に位置する接続ロッドと、
後方ブラケット（１５）であって、後方ブラケット（１５）の前端が前記前方ブラケット（１３）に回転可能に接続され、接続ロッド（２２）の下端が後方ブラケット（１５）に回転可能に接続される後方ブラケットと、をさらに備え、
前記フレームロック機構が、前記プッシュロッド（５）と前記前方ブラケット（１３）との間に設置されるか、あるいは前記プッシュロッド（５）と接続ロッド（２２）との間に設置される、請求項１に記載の子供用運搬車。
【請求項１０】
前記プッシュハンドル・ロック機構が、
前記プッシュハンドル（７）上に開けられている第１歯溝（１８）と、
前記プッシュロッド（５）上に開けられている第２歯溝（１９）と、
第１歯溝（１８）と第２歯溝（１９）との間にスライド可能に配置される歯ブロック（２０）とを含み、
プッシュハンドル・ロック機構がロック位置にあると、前記歯ブロック（２０）が第１歯溝（１８）と第２歯溝（１９）との間に位置し、プッシュハンドル・ロック機構がロック解除位置にあると、歯ブロックが第１歯溝（１８）または第２歯溝（１９）内に位置し、
前記プッシュハンドル・ロック機構が、プッシュハンドル・ロック機構が安定してロック位置にあることを可能にする１つまたはそれ以上の第２弾性部材（２１）も備える、請求項１に記載の子供用運搬車。
【考案の詳細な説明】
【技術分野】
【０００１】
本実用新案は、子供用運搬車に関する。
【背景技術】
【０００２】
従来技術による子供用運搬車は、折り畳み可能であるフレームと、フレームの前側の下部に配置される前輪アセンブリと、フレームの後側の下部に配置される後輪アセンブリと、折り畳まれていない時にフレームのロックのために使用される、ロック位置とロック解除位置とを有するフレームロック機構とを備える。フレームにはプッシュロッドが設置されており、これは、第１回転軸を中心にフレームの前方または後方へ向かって回転可能である。プッシュロッドの上端にはプッシュハンドルが固定されており、第１回転軸はプッシュロッドの下部に位置する。プッシュハンドルは、フレームが折り畳まれていない状態でのフレームの上端部に位置し、プッシュハンドルは、フレームが折り畳まれている際にフレームの下部、すなわち前輪アセンブリまたは後輪アセンブリの付近に近付き、したがって使用者は、フレームの折り畳み時にプッシュハンドルが上下するため、子供用運搬車を操作する際にかがまなくてはならず、これでは操作が不便である。
【考案の概要】
【考案が解決しようとする課題】
【０００３】
従来技術における上述の欠点を克服するために、本実用新案において新たな種類の子供用運搬車を提供する。
【課題を解決するための手段】
【０００４】
本実用新案に用いられる技術的な構造は以下の通りである。折り畳み可能なフレームと、前記フレームの前側の下部に配置される前輪アセンブリと、フレームの後側の下部に配置される後輪アセンブリと、フレームが折り畳まれていない時にフレームをロックするために使用される、ロック位置とロック解除位置とを有するフレームロック機構と、フレームに配置されており、フレームを折り畳む際に第１回転軸を中心にフレームの前方または後方へ向かって回転可能であるプッシュロッドとを備え、前記第１回転軸がプッシュロッドの下部に位置する、子供用運搬車において、前記フレームが、下端がプッシュロッドの上端と第２回転軸により回転可能に接続されるプッシュハンドルをさらに備え、プッシュハンドルとプッシュロッドとの間に、ロック位置とロック解除位置とを有するプッシュハンドル・ロック機構が配置されており、これがプッシュハンドルをプッシュロッドと相対的にロックするために使用される、子供用運搬車。
【０００５】
いくつかの実施形態においては、プッシュハンドルに操作機構が設置され、これがプッシュハンドル・ロック機構をロック位置からロック解除位置に変えることを可能にする。
【０００６】
いくつかの実施形態においては、フレームロック機構が、プッシュロッドに取り外し可能に設置されるロック部材と、ロック部材とプッシュロッドとの間に配置され、ロック部材を元の場所に戻すために使用される弾性部材と、ロック部材が動くように引くために使用される引っ張りロープとを含み、引っ張りロープの一方の端部がロック部材に接続され、他方の端部がプッシュハンドルの下部に接続される。
【０００７】
いくつかのさらなる実施形態においては、プッシュハンドルが、第１回転軸を中心とするプッシュロッドの回転方向と反対の方向に向かって、第２回転軸を中心に回転する過程で、前記引っ張りロープがプッシュハンドルの下端またはプッシュロッドの上端に段階的に巻き付く。
【０００８】
いくつかのさらなる実施形態においては、位置合わせピンがプッシュロッドの上端に固定的に設置され、前記位置合わせピンが前記第２回転軸からずらされており、前記引っ張りロープが前記位置合わせピンに巻き付く。
【０００９】
いくつかの実施形態においては、プッシュロッドの上部とプッシュハンドルの下部との間に配置される位置制限機構が、前記プッシュハンドルが、プッシュロッドの第１回転軸を中心とする回転方向と同じ方向に向かって、第２回転軸を中心に回転することを制限するために使用される。
【００１０】
いくつかの実施形態においては、前記フレームが、前方ブラケットであって、プッシュロッドの下端が前記前方ブラケットの上端に第３回転軸により回転可能に接続されている前方ブラケットと、後方ブラケットであって、前記プッシュロッドの下部が後方ブラケットの上端に前記第１回転軸により回転可能に接続され、前記第３回転軸が前記第１回転軸の前に位置する、後方ブラケットと、シートロッドであって、前記シートロッドの前部が前記前方ブラケットに第４回転軸により回転可能に接続され、後部が前記後方ブラケットに第５回転軸により回転可能に接続される、シートロッドと、をさらに備え、前記フレームロック機構が、前記プッシュロッドと前記後方ブラケットとの間に設置されるか、あるいは前記プッシュロッドと前記前方ブラケットとの間に設置される。
【００１１】
いくつかのさらなる実施形態においては、前記フレームロック機構が、前記プッシュロッドと前記後方ブラケットとの間に配置され、前記フレームロック機構が、前記後方ブラケット上に開けられるロック溝と、プッシュロッドにスライド可能に設置されるロック部材と、ロック部材とプッシュロッドとの間に配置され、前記ロック部材がプッシュロッドに対して延伸する傾向を有することを可能にする第１弾性部材とを含み、前記フレームロック機構がロック位置にあると、前記ロック部材が前記ロック溝に挿入され、前記フレームロック機構がロック解除位置にあると、ロック部材が前記ロック溝から離れる。
【００１２】
いくつかの実施形態においては、前記フレームが、前方ブラケットであって、プッシュロッドの下端が前記前方ブラケットの上端に第３回転軸により回転可能に接続されている前方ブラケットと、接続ロッドであって、接続ロッドの上端がプッシュロッドに前記第１回転軸により回転可能に接続され、前記第３回転軸が前記第１回転軸の前に位置する接続ロッドと、後方ブラケットであって、後方ブラケットの前端が前記前方ブラケットに回転可能に接続され、接続ロッドの下端が後方ブラケットに回転可能に接続される後方ブラケットと、をさらに備え、前記フレームロック機構が、前記プッシュロッドと前記前方ブラケットとの間に設置されるか、あるいは前記プッシュロッドと接続ロッドとの間に設置されることができる。
【００１３】
いくつかの実施形態においては、前記プッシュハンドル・ロック機構が、前記プッシュハンドル上に開けられている第１歯溝と、前記プッシュロッド上に開けられている第２歯溝と、第１歯溝と第２歯溝との間に配置される歯ブロックとを含み、プッシュハンドル・ロック機構がロック位置にあると、前記歯ブロックが第１歯溝と第２歯溝との間に位置し、プッシュハンドル・ロック機構がロック解除位置にあると、歯ブロックが第１歯溝または第２歯溝内に位置する。さらに、前記プッシュハンドル・ロック機構が、プッシュハンドル・ロック機構が安定してロック位置にあることを可能にする１つまたはそれ以上の第２弾性部材も備える。
【００１４】
方向に関する上記の用語「上」、「下」、「前」、「後」は、フレームが折り畳まれていない時に定義され、その際、前輪アセンブリの位置は「前側の下部」と表され、他方で後輪アセンブリの位置は「後側の下部」と表される。
【００１５】
本実用新案の範囲は、特に上記の技術的特徴により組み合わされる技術構造に限定されず、上記の技術的特徴を自由に組み合わせた他の技術構造または同等の特徴も本実用新案に含まれるものとする。たとえば、本実用新案に開示されるものを含むがこれに限定されない類似の機能を有する技術的特徴と上述の特徴を入れ替えることにより形成される技術的構造である。
【００１６】
従来技術に対する本実用新案の利点は、以下の通りである。回転軸は、プッシュロッドの上端および下端にそれぞれ設定されており、これによりプッシュロッドの上端および下端がプッシュハンドルおよびフレーム本体にそれぞれ回転可能に接続され、プッシュロッドは、フレームが折り畳まれている際にフレームの後側または前側へ向かって回転可能であり、その過程で第２回転軸がプッシュロッドの上端と共に下方へ移動可能であり、プッシュハンドルは第２回転軸を中心に回転し、プッシュロッドに対して折り畳まれるとともにプッシュロッドの上方にとどまることが可能であり、これにより、プッシュハンドルの上端は、フレームが折り畳まれた後にフレームの上側に位置し、したがって持ち運びおよび操作が便利である。
【図面の簡単な説明】
【００１７】
【図１】本実用新案の第１実施形態に係る子供用運搬車の正面図であり、フレームは折り畳まれていない状態である。
【図２】本実用新案の第１実施形態に係る子供用運搬車の正面図であり、フレームは、折り畳まれていない状態と折り畳まれた状態との間の状態である。
【図３】本実用新案の第１実施形態に係る子供用運搬車の正面図であり、フレームは折り畳まれていない状態と折り畳まれた状態との間の別の状態である。
【図４】本実用新案の第１実施形態に係る子供用運搬車の正面図であり、フレームは折り畳まれた状態である。
【図５】本実用新案の第１実施形態に係る子供用運搬車の概略図であり、フレームは折り畳まれていない状態である。
【図６】フレームロック機構の概略図である。
【図７】プッシュハンドル・ロック機構の概略図である。
【図８】本実用新案の第２実施形態に係る子供用運搬車の正面図であり、フレームは折り畳まれていない状態である。
【考案を実施するための形態】
【００１８】
実施形態１
図１から図５に示されるように、子供用運搬車は、折り畳み可能なフレーム１と、フレーム１の前側の下部に設置される前輪アセンブリ２と、フレーム１の後側の下部に設置される後輪アセンブリ３と、フレームが折り畳まれていない時にフレームをロックするために使用される、ロック位置とロック解除位置とを有するフレームロック機構とを備える。
【００１９】
プッシュロッド５がフレーム１に設置されており、これはフレームが折り畳まれる際にフレーム１の後側へ向かって第１回転軸４を中心に回転可能であり、第１回転軸４はプッシュロッド５の下部に位置する。
【００２０】
フレーム１はプッシュハンドル７も含み、その下端はプッシュロッド５の上端に回転可能に接続され、プッシュハンドル７の上端にはハンドルが固定され、ロック位置とロック解除位置とを有するプッシュハンドル・ロック機構が、プッシュハンドル７とプッシュロッド５との間に配置されており、これはプッシュハンドル７とプッシュロッド５とを相対的にロックするために使用される。
【００２１】
図６に示されるように、フレームロック機構は、プッシュロッド５に可動に設置されるロック部材９と、ロック部材９とプッシュロッド５との間に設置され、ロック部材９を元の場所に戻すために使用される第１弾性部材１０と、ロック部材９を動くように引いて使用される引っ張りロープ１１とを備え、上記ロック部材９はフレーム１に取り外し可能に接続しており、引っ張りロープ１１の一方の端部はロック部材９に接続され、他方の端部は図１に示されるように、プッシュハンドル７の下部に接続される。
【００２２】
プッシュロッド５が第１回転軸４を中心に回転する方向とは反対の方向に向かってプッシュハンドル７が第２回転軸６を中心に回転する過程、つまり、プッシュハンドル７がフレーム１の前側へ向かって第２回転軸６を中心に回転する過程で（フレームが折り畳まれる過程でプッシュロッド５がフレーム１の前側へ向かって第１回転軸４を中心に回転する場合、ここでは、プッシュハンドル７はフレーム１の後側へ向かって第２回転軸６を中心に回転するべきである）、引っ張りロープ１１は、プッシュハンドル７の下端またはプッシュロッド５の上端に巻き付く。引っ張りロープ１１は、フレームロック機構のロックが解除されるようロック部材９を引き、これによりさらなる保証が実施し得る。使用者がフレームを折り畳もうとする際には、使用者はプッシュハンドル７を前方へフレームロック機構を解除する角度に回転させなければならず、これにより折り畳みが達成される。
【００２３】
図１に示されるように、位置合わせピン１２が各プッシュロッド５の上端に固定的に設置され、位置合わせピン１２は第２回転軸６からずらされており、引っ張りロープ１１は位置合わせピン１２の周りに巻き付く。
【００２４】
プッシュロッド５の上部とプッシュハンドル７の下部との間に位置制限機構が配置され、これはプッシュロッド５が第１回転軸４を中心に回転する方向と同じ方向に向かって、プッシュハンドル７が第２回転軸６を中心に回転することを制限するために使用される。つまり、位置制限機構は、プッシュハンドル７がフレーム１の後側へ向かって第２回転軸を中心に回転することを制限することができる。位置制限機構の具体的な構造は限定されず、これは、図１に示されるように、たとえば第１位置制限突起部が第２位置制限突起部にちょうど接触するよう、第１位置制限突起部をプッシュロッド５の上部に、第２位置制限突起部をプッシュハンドル７の下部にそれぞれ設置することにより達成可能であり、プッシュハンドル・ロック機構が解除された後プッシュハンドル７はフレーム１の前側へ向かってのみ第２回転軸６を中心に回転することが可能であり、フレーム１の後側へ向かって第２回転軸６を中心には回転することができない。これにより、使用者が使用時に不確実な操作をすることを回避することが可能である。
【００２５】
操作機構８がプッシュハンドル７に設置されており、これはプッシュハンドル・ロック機構をロック位置からロック解除位置へ変えることを可能にする。
【００２６】
図１から図５に示されるように、フレーム１はさらに、前方ブラケット１３であって、プッシュロッド５の下端が前方ブラケット１３の上端に第３回転軸１４により回転可能に接続され、前輪アセンブリが前方ブラケットの下端にそれぞれ設置される前方ブラケットと、後方ブラケット１５であって、プッシュロッド５の下部が後方ブラケット１５の上端に第１回転軸４により回転可能に接続され、第３回転軸１４が第１回転軸４の前に配置され、後輪アセンブリが後方ブラケット１５の下端にそれぞれ設置される後方ブラケットと、シートロッド１６であって、シートロッド１６の前部が前方ブラケット１３に第４回転軸により回転可能に接続され、後部が後方ブラケットに第５回転軸により回転可能に接続されるシートロッドと、を含み、フレームロック機構は、プッシュロッド５と後方ブラケット１５との間に設置され、またプッシュロッド５と前方ブラケット１３との間にも設置されることが可能である。
【００２７】
図６に示されるように、フレームロック機構は、プッシュロッド５と後方ブラケット６との間に配置されており、フレームロック機構は、後方ブラケット１５上に開けられるロック溝１７と、プッシュロッド５にスライド可能に設置されるロック部材９と、ロック部材９とプッシュロッド５との間に配置され、ロック部材９がプッシュロッド５に対して延伸する傾向を有することを可能にする第１弾性部材１０とを含む。フレームロック機構がロック位置にあると、ロック部材９はロック溝１７に挿入され、フレームがロック解除位置にあると、ロック部材９はロック溝１７から離れる。
【００２８】
図７に示されるように、プッシュハンドル・ロック機構は、プッシュハンドル７上に開けられている第１歯溝１８と、プッシュロッド５上に開けられている第２歯溝１９と、第１歯溝１８と第２歯溝１９との間にスライド可能に配置される歯ブロック２０とを含む。歯ブロック２０は、プッシュハンドル・ロック機構がロック位置にある際は第１歯溝１８と第２歯溝１９との間に位置する一方で、プッシュハンドル機構がロック解除位置にある際は、歯ブロック２０は第１歯溝１８または第２歯溝１９内に位置する。また、プッシュハンドル・ロック機構は、プッシュハンドル・ロック機構が安定してロック位置にあることを可能にする３つの第２弾性部材２１も含む。操作機構が、プッシュハンドル７に設置され、プッシュハンドル・ロック機構８を制御するために使用され、操作機構８は、プッシュハンドル７に可動に設置される操作部材と、歯ブロック引っ張りロープとを含み、歯ブロック引っ張りロープの一方の端部は操作部材に接続されており、他方の端部は歯ブロック２０に接続される。プッシュハンドル・ロック機構は、操作機構８を操作することにより制御可能である。
【００２９】
作動工程は以下の通りである。まず、第２弾性部材２１の弾性力を克服後、操作機構８の操作部材を作動させ、歯ブロック引っ張りロープが、歯ブロック２０を第２歯溝１９内に完全にスライドさせ、つまり、プッシュハンドル・ロック機構はロック位置からロック解除位置に変えられ、続いてプッシュハンドル７をフレーム１の前側へ向かって第２回転軸６を中心に回転させ、その際ロック部材９が引っ張りロープ１１により引かれ、これによりフレームロック機構はロック位置からロック解除位置へ変えられる。その際、フレームが折り畳まれる過程で、プッシュロッド５はフレーム１の後側へ向かって第１回転軸４を中心に回転し、それに対してプッシュハンドル７の回転する方向はプッシュロッド５とは反対であり、これによりプッシュハンドル７の上端は依然としてフレームの上部に位置し、したがって持ち運びおよび操作が便利である。
【００３０】
実施形態２
実施形態１と実施形態２の違いは、これらの折り畳み原理および接続構造が異なることである。図８に示されるように、フレーム１は、前方ブラケット１３であって、プッシュロッド５の下端が前方ブラケット１３の上端に第３回転軸１４により回転可能に接続され、前輪アセンブリが前方ブラケット１３の下端に設定される前方ブラケットと、接続ロッド２２であって、接続ロッド２２の上端がプッシュロッド５に第１回転軸により回転可能に接続され、第３回転軸１４が第１回転軸４の前に位置する接続ロッドと、後方ブラケット１５であって、後方ブラケット１５の前端が前方ブラケット１３に回転可能に接続され、接続ロッド２２の下端が後方ブラケット１５に回転可能に接続され、後輪アセンブリ３が後方ブラケット１５の下端に配置される後方ブラケットと、を備える。
【００３１】
フレームロック機構は、プッシュロッド５と前方ブラケット１３との間に設置されるか、またはその代わりにフレームロック機構は、プッシュロッド５と接続ロッド２２との間に設定されることも可能である。また、フレームロック機構の具体的な構造は限定されない。
【００３２】
上述の通り、詳細な説明は実用新案の精神に基づいて十分になされたが、本実用新案は上述の実施形態および実施方法に限定されない。当業者であれば本実用新案の範囲内で多様な変形および実施が可能である。
【図１】
0003170838.tif 000003
【図２】
0003170838.tif 000004
【図３】
0003170838.tif 000005
【図４】
0003170838.tif 000006
【図５】
0003170838.tif 000007
【図６】
0003170838.tif 000008
【図７】
0003170838.tif 000009
【図８】
0003170838.tif 000010